(57)【特許請求の範囲】
【請求項１】
乗物の室内装備品に設けられた上開口したケース部と、該上開口を開閉する蓋体とを有し、前記蓋体を開位置にして物品類を前記ケース部内に挿入し保持する保持装置において、
前記ケース部は、前記室内装備品の室内側に位置する外面部のうち、少なくとも下向き外面部を含む箇所に設けられて、前記物品類を、ケース内底部で物品底面を受け止め、物品周囲部の一部を前記外面部側の対応部に設けた位置規制部で規制し、
前記蓋体は、前記下向き外面部と反対側の上開口縁部側にヒンジ部を介し取り付けられて、前記上開口を塞ぐ閉位置から前記ケース部内へ回転されて開位置に切り換えられる、ことを特徴とする物品類の保持装置。
【請求項２】
前記位置規制部は、前記上開口の対応縁部から下向き略円弧状に形成された凹部からなり、物品類の周囲部の一部を前記凹部に嵌合し規制する請求項１に記載の物品類の保持装置。
【請求項３】
前記蓋体を前記閉位置の方向へ付勢するばね手段と、前記蓋体を前記ばね手段の付勢圧に抗し前記開位置に係止する保持手段とを有している請求項１又は２に記載の物品類の保持装置。
【請求項４】
前記保持手段は、前記ケース部内に取り付けられて、前記蓋体に突設した係合突起を蓋体の押し操作により係止して蓋体の開位置を保持し、かつ当該蓋体の更なる押し操作により前記係止を解除可能なプッシュ・プッシュ係止機構からなる請求項１から３の何れかに記載の物品類の保持装置。
【請求項５】
前記ケース部は、前記室内側に位置する下向きの外面部を切り欠くと共に、前記下向き略円弧状の凹部の存在により、前記内底部に受け止められた物品類が前記凹部に応じた分だけ前側の表出部分を増大し、該増大された前側表出部分から両側周囲部を把持されるようになっている請求項１から４の何れかに記載の物品類の保持装置。
【発明の詳細な説明】
【０００１】
【発明の属する技術分野】
本発明は、乗物室内にあって、コンソール，座席，ドア内張，イントスルメントパネル等の室内装備品に付設されて、飲物用のカップ，缶，瓶，携帯電話，マイク等（以下、これを総称して「物品類」と言う）を保持する保持装置に関する。
【０００２】
【従来の技術】
図６はこの種従来の保持装置のうち、特にドア内張のアームレスト部に付設された３例を示している。同（ａ）の装置（実開平６２−３３３３５号）は、アームレスト部５０の上面角部に設けられた上開口した断面略Ｌ形のケース部５１と、該ケース部５１に対応した断面逆Ｌ形の蓋体５２とからなる。蓋体５２は、ケース部５１の室内側の下縁に枢軸５３を介し回転可能に組み付けられ、枢軸５３を支点として、ケース部５１を覆った閉位置と、室内側に回転されて使用状態となる開位置とに切り換えられる。開位置では、同図の如く両者で上開口した凹状部を形成し、該凹状部に入れられる容器Ｋの底面を蓋内面５２ａとケース内底面５１ａとで受け止め保持する。また、同（ｂ）及び（ｃ）の装置は、ケース部５４，５７がアームレスト部５０の上面に凹状に設けられ、容器Ｋが該ケース部５４，５７の真上から凹状内に入れられ、その底面がケース内底面５４ａ，５７ａに受け止め保持される点で共通している。同（ｂ）では、蓋体５５がケース部５４の上開口縁部に枢軸５６を介し回転可能に組み付けられ、該枢軸５６を支点として、ケース部５４の上開口を塞いだ閉位置と、外へ回転される開位置とに切り換えられる。 同（ｃ）では、蓋体５８がケース部５４の上開口縁部に枢軸５９及び付勢ばね６０を介し回転可能に組み付けられ、該枢軸５９を支点として、ケース部５７の上開口を塞いだ閉位置から、付勢ばね６０のばね力に抗しケース内へ回転されて開位置に切り換えられる。
【０００３】
【発明が解決しようとする課題】
上記した各従来構造は、容器保持の点で何れもが簡易かつ簡明であり、容器Ｋをアームレスト部５０のケース部内（ケース部及び蓋体の内側）に入れた状態でケース内底面（ケース部及び蓋体の内底面）で受け止めて保持するため、ケース部内の深さを増大するほど容器をより安定して保持可能となる。ところで、図６（ｂ）及び（ｃ）の構造は、同（ａ）に対し蓋体５５や５８が室内側に張り出さない点で優れている。（ｃ）の構造は、（ｂ）の様に開位置にある蓋体５５が容器Ｋを取り出す際に邪魔になったり、容器Ｋがケース部内で動く虞を付勢ばね６０のばね力を受けている蓋体５８で防ぐことができる。しかし、これら従来構造では、容器Ｋを安定保持する上でケース部内の深さをある程度深く確保しなくてはならず、ケース部内の深さを余り増大すると、上開口から表出する容器部分が小さくなり、容器Ｋを取り出すときに容器を把持、つまり手で掴み難くなる。また、ケース部５１，５４，５７の設置個所が図６（ｃ）に模式的に示した如くドア内張６１に突設されるアームレスト部５０等であると、ドア内張６１の起立部６１ａがケース部５７の片側（車室外側）に接近して、容器Ｋのケース部５７内への出し入れ性が悪くなる。即ち、従来構造では、起立部６１ａとケース部５７との間の間隔Ｍを大きく確保し難く、容器Ｋの出し入れ時にケース部５７と接近した起立部６１ａに当たり易く、使い勝手が充分満足できない。これらは容器Ｋに限らず、携帯電話等の他の物品であっても同様である。
【０００４】
本発明は、上記したような課題を解消することを目的としている。具体的には、物品類の安定保持性及び出し入れ性を常に良好にし、しかもケース部を小物入れ等としても使用できるようにすることにある。他の目的は以下に説明する内容の中で順次明らかにして行く。
【０００５】
【課題を解決するための手段】
上記目的を達成するため本発明は、図面に例示される如く、乗物の室内装備品１０等に設けられた上開口したケース部２と、該上開口を開閉する蓋体４とを有し、前記蓋体４を開位置にして物品類Ｋを前記ケース部２内に挿入し保持する保持装置１において、前記ケース部２は、前記室内装備品１０等の室内側に位置する外面部のうち、少なくとも下向き外面部１０ｂ等を含む箇所に設けられて、前記物品類Ｋを、ケース内底部２ｄで物品底面を受け止め、物品周囲部の一部を前記外面部側の対応部に設けた位置規制部３ｃで規制し、前記蓋体４は、前記下向き外面部と反対側の上開口縁部側にヒンジ部８等を介し取り付けられて、前記上開口を塞ぐ閉位置から前記ケース部２内へ回転されて開位置に切り換えられることを特徴としている。
【０００６】
以上の保持装置では、物品類Ｋを蓋部４に押し付けて、蓋部４を開位置方向へ回転しつつケース部２内に挿入する。すると、物品類Ｋは、下部がケース部２の内底部２ｄに受け止められて保持され、かつ周囲部が位置規制部３ｃにより安定保持される。この構造特徴は、図６（ｃ）との対比において、ケース部２が室内装備品（例えば、アームレスト部１０やインストルメントパネル部２０）の室内側に位置する外面部のうち、下向き外面部１０ｂ，２０ｂ等を含む箇所に設けられている点、位置規制部３ｃを有する点にある。前者の構造は、ケース部２の上開口面積を下向き外面部の傾斜角に応じた分だけ大きくし、同時に図６（ｃ）の間隔Ｍを図５の間隔Ｍ1まで大きくして、上述した不具合を解消し物品類Ｋのケース部内への出し入れ性を良好にする。後者の構造は、ケース部２内にあって、物品周囲部の一部が位置規制部３ｃにて最適位置に配され、かつ動き難くなるよう規制されることにより、保持状態の安定性を確実に良好にする。
なお、本発明において、ケース部２は、専用ケース部材を室内装備品の対応部に一体的に組み込む形態、室内装備品の対応部に一体に形成する形態の何れであってもよい。「外面部のうち、少なくとも下向き外面部を含む箇所に設けられ」るとは、室内装備品が上面部及び下向き外面部を有しており、本発明のケース部が形態例の如く前記下向き外面部に対応して設けられる態様と、上面部の一部を含んで下向き外面部に設けられる態様とを含む意味である。「下向き外面部」は、形態例の如く傾斜しているだけではなく略垂直になっていてもよい。後者の場合はケース部の上開口が前記上面部の一部にラップさせて設けられることになる。
【０００７】
以上の保持装置は次の如く具体化されることがより好ましい。
第１に、前記位置規制部は、前記上開口の対応縁部から下向き略円弧状に形成された凹部３ｃからなり、物品類Ｋの周囲部の一部を前記凹部３ｃに嵌合し規制する構成である。この位置規制部は、下向き円弧状凹部３ｃが円筒状の物品の外径部分と嵌合し易いことに着目したもので、物品類Ｋをケース部２内の最適位置でより安定保持可能にする。
第２に、前記蓋体４を前記閉位置の方向へ付勢するばね手段５と、前記蓋体４を前記ばね手段５の付勢圧に抗し前記開位置に係止する保持手段６とを有している構成である。ばね手段５は、蓋体４を閉位置へ自動的に回転させ、かつケース部２内に入れられた物品類Ｋを蓋体４を介し押圧してがたつきを防ぐ。保持手段６は、蓋体４を開位置に係止することにより、例えば、ケース部２内に小物を出し入れすることも可能にし、保持装置１を小物入れ用としても使い易くする。
第３に、前記保持手段６は、前記ケース部２内に取り付けられて、前記蓋体４に突設した係合突起４ｃを蓋体４の押し操作により係止して蓋体４の開位置を保持し、かつ当該蓋体４の更なる押し操作により前記係止を解除可能なプッシュ・プッシュ係止機構からなる構成である。これは、蓋体４の開閉操作性及び外観性を良好にする上で、公知の保持手段のうち、プッシュ・プッシュ係止機構が最も好適になる点に着目したものである。
第４に、前記ケース部２は、前記室内側に位置する下向き外面部を切り欠くと共に、前記下向き略円弧状の凹部３ｃの存在により、前記内底部２ｄに受け止められた物品類Ｋが前記凹部３ｃに応じた分だけ前側の表出部分を増大し、該増大された前側表出部分から両側周囲部を把持可能になっている構成である。これは、本発明の構造特徴を作動面から確認的に特定したものであり、上記した課題を一掃できる。
【０００８】
【発明の実施の形態】
以下、本発明の実施形態を添付図面に基づいて説明する。図１は本発明を適用した保持装置を設置状態で示し、同（ａ）は物品類としての容器を保持した使用状態の模式外観図、同（ｂ）は非使用状態での模式外観図である。図２は前記保持装置の構成を示し、同（ａ）は図１（ａ）のＡ−Ａ線矢視断面図、同（ｂ）は前記非使用状態での断面図である。図３は前記保持装置の主構成部材の概略外観図である。図４は保持手段の構成例を示し、同（ａ）は蓋体をケース部内にあって保持手段の手前まで押し込んだ非ロック状態を示し、同（ｂ）はロック状態を示している。図５（ａ），（ｂ）は本発明の保持装置の設置個所の２例を示す模式図である。
【０００９】
（全体構造）形態例の保持装置１は、車室内のうち、ドアに突出されたアームレスト部１０に設けられたケース部２と、該ケース部２に組み付けられる固定蓋部材３及び可動蓋部材４と、付勢ばね５と、保持手段６とで構成されている。ここで、アームレスト部１０は、ドアの内張（トリム材）に取り付けられて室内に突出されたタイプを想定し、従来と同様に樹脂成形されたもので、外面部がアーム保持部となる略水平の上面部１０ａと該上面部１０ａの突出端から下向きに延びた傾斜側面部１０ｂと、前後端面部１０ｃとにより区画形成されている。また、アームレスト部１０は、図６（ｃ）と同じく対応部がドア内張に結合されたり、ドア内張と一体形成されていて内部中空となっている。表面には不織布等が貼着されて外観処理され、上面部１０ａにはドアガラスを開閉するスイッチ類等が付設されている。これらは図示を省略したが、従来と同じくしている。固定蓋部材３及び可動蓋部材４は樹脂成形品である。表面には、アームレスト部１０と同様な不織布等が必要に応じ付設されて外観処理される。
【００１０】
なお、保持装置１の設置個所としては、車室内装備品であればよく、アームレスト部１０以外にも図５（ｂ）に例示した如く色々な態様が考えられる。図５（ｂ）は、自動車の室内前側を構成しているインストルメントパネル部２０及びその手前のトンネル部３０を示している。インストルメントパネル部２０には、フロントガラス側に延びる上面部２０ａ及び下向きに延びる傾斜側面部２０ｂを有し、保持装置１がその傾斜側面部２０ｂに付設されている。トンネル部３０には、上面部３０ａにセンタコンソールやシフトレバー等が設けられ、該上面部３０ａの両側が傾斜側面部３０ｂとなっていて、保持装置１がその傾斜側面部３０ｂに付設されている。本発明の保持装置１は、これ以外にも、例えば、車両用座席のうち、シートバック背面上側部分に付設したり、コンソールの一部に付設することも可能である。
【００１１】
（ケース部）ケース部２は、保持装置１の主要部を構成し、ここに容器Ｋ（例えば携帯電話等であってもよい）を出し入れする。この形態では、ケース部２がアームレスト部１０の対応部に一体に形成されている。即ち、ケース部２は、アームレスト部１０のうち、傾斜側面部１０ｂから内部に略Ｌ形の窪みを設け、下外面を固定蓋部材３で形成している。内部は、図２の如く上側２ａが上方開口した略Ｌ形の窪みで、下側２ｂが凹部に形成されると共に、紙面の前後方向が対応端面で閉じられている。
【００１２】
ここで、固定蓋部材３は、図３の如く傾斜側面部１０ｂと連続する傾斜面３ａと、傾斜面３ａの両側にあって後方へ延びる細く短い両側面３ｂとで形成されている。傾斜面３ａには位置規制用の凹部３ｃが設けられている。この凹部３ｃは、傾斜面３ａの上縁の中間位置にあって、対応部分を下向き略円弧状に切り欠いた状態となっている。両側面３ｂには取付孔３ｄが設けられている。なお、凹部３ｃの両側に位置する上縁部は内側を係合段部に形成している。そして、固定蓋部材３は、図２（ｂ）の如く上側２ａの略Ｌ形の窪みに対し、傾斜面３ａが下側２ｂの外面と連続するよう配置され、上側２ａの内側対応部に突設された係合部２ｅを取付孔３ｄに係合し組み付けられている。
【００１３】
これによって、ケース部２は、上側２ａのＬ形の窪みが固定蓋部材３により下側２ｂの外面を上側へ延長した形状となる。上側２ａの上開口２ｃは、矩形をなし、該矩形が傾斜側面部１０ｂの傾斜角に応じて斜めに配した状態となっている。上側２ａのケース内側面２ｆは、アームレスト部１０の厚さ内にあり、そこに後述する保持手段６のロック本体１８が取り付けられている。下側２ｂの凹部は、ケース内側面２ｆとの間に少し間隔を保って設けられ、凹部の下面がケース内底部２ｃとなる。なお、以上のようなケース部２は、前記固定蓋部材３を含めてアームレスト部１０に一体形成したり、逆に、アームレスト部１０の対応部を切り欠し、そこに専用のケース部材を付設した構成であってもよい。要は、アームレスト部１０の成形性及び経費的な観点から最適な構成が決められる。
【００１４】
（蓋体）可動蓋部材４は本発明の蓋体に相当し、本体部４ａ及び突出部４ｂからなる。本体部４ａは、上記した上開口２ｃを閉じる大きさ及び形状からなり、両側にヒンジ部となる枢軸８を形成している。本体部４ａの両側の下縁は、上記した固定蓋部材３の係合段部に対応した係合段部となっている。突出部４ｂは、本体部４ａの下縁部に突出され、上記した凹部３ｃを閉じる大きさ及び形状からなり、内面側に保持手段６を構成する係合突起４ｃを一体に形成している。そして、以上の可動蓋体４は、枢軸８がケース部２内の上記した前後端面側に設けられた取付孔に係合操作することにより、ケース部２に回転可能に組み付けられる。その際には、コイル形の付勢ばね５が枢軸８に軸装される。この付勢ばね５は、一端５ａをケース部２内の対応部に係止し、付勢圧を発現した状態で他端５ｂを可動蓋部材４の対応内面側に係止した状態で、可動蓋部材４を閉位置方向へ付勢している。このため、可動蓋部材４は、通常、ケース部２の上開口２ｃを閉じた状態にあり、付勢ばね５のばね力に抗し押圧されることによりケース部２内に回動されて開位置に切り換えられる。この最終段階では、前記係合突起４ｃが保持手段６のロック本体１８に係止され、可動蓋部材４を開状態に保持する。
【００１５】
ここでの保持手段６は、ケース部２内に取り付けられたロック本体１８を有し、可動蓋部材４の押し操作により係止し、更なる押し操作により前記係止を解除可能な図４に例示されるような公知のプッシュ・プッシュ係止機構からなる。即ち、ロック本体１８は、前後面を開口したハウジング１１と、ハウジング１１の出口側（図４の左側）に収容されて、上記係合突起４ｃと係脱する１対の係止片１２を有する摺動体１３と、摺動体１３を一方向に付勢する不図示のスプリングと、摺動体１３に設けられたハートカム溝１４と、ハウジング１１内に軸支されたトレーサ１５と、トレーサ１５に突設されてハートカム溝１４と係合し摺動体１３の摺動によりハートカム溝１４を一巡するピン１６等からなる。そして、可動蓋部材４をケース部２内に最大の開位置まで押し入れると、係合突起４ｃが摺動体１３に突き当たり、前記スプリングの付勢力に抗して該摺動体１３をハウジング１１内に後方へ摺動する。これと連動して、両係止片１２はハウジング１１内を後退しつつ係合突起４ｃを間に挟み込む。同時に、ピン１５とハートカム溝１４との係合によって係止片１２が後退位置で係止される。この結果、可動蓋部材４は図４と図１及び図２の各（ｂ）の開状態に保持される。この係止を解除する場合は、可動蓋部材４を再度ケース部２の奥側へ押すと、ピン１５とハートカム溝１４との係合が外れ、同時に摺動体１３が前記スプリングの付勢力により押されて、両係止片１２をハウジング１１の出口外へ突出する。この結果、係合突起４ｃに対する両係止片１２の挟み込みが外れて係止状態が解除される。このようなプッシュ・プッシュ係止機構を採用すると、ケース部２内が比較的狭くなっていても、可動蓋部材４のロック及びロック解除操作を簡単かつ確実に行え、外観を損なう虞もない。勿論、保持手段６はこれ以外の係止機構であっても差し支えない。
【００１６】
（使用時の作動）以上の保持装置１では、使用者が容器Ｋを可動蓋部材４に押し付けると、可動蓋部材４が付勢ばね５のばね力に抗してケース部２内、つまり開位置方向へ回転されるので、容器Ｋを上開口２ｃからケース部２内に挿入することができる。図６（ｃ）と異なる作動は次のような点にある。まず、容器Ｋの出し入れ性の観点では、上開口２ｃが傾斜側面部１０ｂに設けられているため従来よりも開口面積を広く確保可能となり、それに比例して出し入れし易くなること、可動蓋部材４を保持手段６により開状態にロックしておくと、容器Ｋを出し入れする毎に可動蓋部材４を一々開位置方向へ押す必要がないこと、等の点で優れている。使い勝手及び保持性の観点からは、ケース内底部２ｄに受け止められた容器Ｋが周囲部の一部を凹部３ｃで位置規制されるためより安定状態で保持されること、可動蓋部材４を保持手段６により開状態にロックしておくと、容器Ｋとして、図２（ａ）の寸法Ｌの範囲での外径の異なるものを即時に保持可能になり、又、ケース部２内を小物入れとして使用するような場合に可動蓋部材４に邪魔されず出し入れできること、等の点で優れている。
【００１７】
なお、本発明は以上の形態をベースにして色々に変形可能なものである。その一例としては、ケース部２及び可動蓋部材４の大きさや形状を工夫することにより複数の容器Ｋやその他の物品を同時に保持するようにしたり、可動蓋部材４の閉方向の作動をダンパー機構を介し制動したり、位置規制用凹部３の大きさや形状を変更する等である。
【００１８】
【発明の効果】
以上説明したとおり、本発明に係る物品類の保持装置は、主構成部材が少なく、簡易・簡明であることに加え、車室内スペースを狭めたり、室内操作部の邪魔になるということがなく、更に、従来構造よりも使い勝手及び保持性を数段良好にでき、高級化及び汎用性を達成できる。
【図面の簡単な説明】
【図１】形態例の物品類の保持装置を示す模式外観図である。
【図２】図１の保持装置を図１のＡ−Ａ線矢視断面で示す図である。
【図３】図１の保持装置の主部材を示す説明用斜視図である。
【図４】図１の保持手段の構成例を示す図である。
【図５】本発明の保持装置を付設する室内装備品の例を示す図である。
【図６】物品類の従来保持装置の３例を示す説明用参考図である。
【符号の説明】
１は保持装置
２はケース部
４は可動蓋部材（蓋体）
５は付勢ばね
６は保持手段
１０はアームレスト部（室内装備品）
１０ｂ，２０ｂ，３０ｂは下向き外面部である傾斜側面部
Ｋは容器（物品類）
【図１】
0004542697.tif 000002
【図２】
0004542697.tif 000003
【図３】
0004542697.tif 000004
【図４】
0004542697.tif 000005
【図５】
0004542697.tif 000006
【図６】
0004542697.tif 000007